(57)【要約】【課題】外部装置との間でデータ通信を行う有線通信手段及び無線通信手段を具備するデジタルカメラ等の撮影装置であって、防水ケース内に撮影装置を装填したときにも操作性を損なうことなく特別な設定操作等を不要としながら容易にデータ通信を行い得る撮影装置を提供する。【解決手段】外部装置との間でデータ通信可能な撮影装置１００であって、有線接続により外部装置との間でデータ信号を送受信する有線通信手段２２と、無線接続により外部装置との間でデータ信号を送受信する無線通信手段２０，２１と、有線通信手段及び無線通信手段のオンオフ制御を行う通信制御手段３１ｂ，３１ｃと、撮影装置の全体を覆うケース１０３が装着されたことを検出する検出手段３３とを具備し、通信制御手段は、検出手段が撮影装置にケースが装着されたことを検出した場合には、有線通信手段をオフ制御し無線通信手段をオン制御するように構成される。【選択図】図１
2008258991.tif 000002
【特許請求の範囲】
【請求項１】
外部装置との間でデータ通信可能な撮影装置であって、
有線接続により外部装置との間でデータ信号を送受信する有線通信手段と、
無線接続により外部装置との間でデータ信号を送受信する無線通信手段と、
上記有線通信手段及び上記無線通信手段のオンオフ制御を行う通信制御手段と、
当該撮影装置の全体を覆うケースが装着されたことを検出する検出手段と、
を具備し、
上記通信制御手段は、上記検出手段が当該撮影装置に上記ケースが装着されたことを検出した場合には、上記有線通信手段をオフ制御し上記無線通信手段をオン制御することを特徴とする撮影装置。
【請求項２】
上記ケースは、当該撮影装置を水中で使用するための防水ケースであることを特徴とする請求項１に記載の撮影装置。
【請求項３】
上記検出手段は、上記無線通信手段が放射する電磁波の上記ケースから反射を受信することにより上記ケースが装着されたことを検出することを特徴とする請求項１又は請求項２のいずれかに記載の撮影装置。
【請求項４】
上記検出手段は、上記無線通信手段が電磁波を放射してからその電磁波の反射を受信するまでの時間に基づいて上記ケースの装着を検出することを特徴とする請求項３に記載の撮影装置。
【発明の詳細な説明】
【技術分野】
【０００１】
この発明は、撮影装置、詳しくは外部装置との間で有線接続又は無線接続によるデータ通信を行うことのできる撮影装置に関するものである。
【背景技術】
【０００２】
従来、撮影光学系により結像される光学像を撮像素子等の光電変換素子により光電変換処理することで、所望の被写体の光学像を電気的な画像信号として取得した後、この画像信号をデジタルデータ化した形態の画像データと、当該画像信号に関連する各種の情報データとを合わせて形成したデジタル画像データファイル（以下、画像ファイルという）として記録媒体に記録し得るように構成したいわゆるデジタルカメラ等の撮影装置（以下、単にデジタルカメラという）が広く一般に普及している。
【０００３】
このようなデジタルカメラにおいては、記録媒体に記録された画像ファイルを、例えば小型コンピュータ等の画像再生装置又は画像処理装置や、プリンター等の画像印刷装置等の外部装置へとデータ伝送する手段を有しているものがある。
【０００４】
このデータ伝送手段としては、デジタルカメラと外部装置との間を接続ケーブル等の線による伝送路を用いてデータ伝送を行う有線接続インターフェース（以下、有線接続ＩＦと略記する）、具体的にはＵＳＢ（Ｕniversal Ｓerial Ｂus）規格に準拠した有線通信機能によるＵＳＢ接続等がある。
【０００５】
また、他のデータ伝送手段としては、電磁波や赤外線等を用いることでデジタルタルカメラと外部装置との間の伝送路として線を使用せずにデータ伝送を行う無線接続インターフェース（以下、無線接続ＩＦと略記する）、具体的にはワイヤレスＵＳＢ（Ｗireless Ｕniversal Ｓerial Ｂus；ＷＵＳＢ）規格に準拠した無線通信機能によるＷＵＳＢ接続や、超広帯域（ＵＷＢ；Ｕltra Ｗide Ｂand) 無線接続や、ＩｒＤＡ（アイアールディーエイ；Infrared Data Association）規格に準拠した赤外線通信機能による光無線接続等がある。
【０００６】
そして、近年のデジタルカメラにおいては、有線接続ＩＦと無線接続ＩＦとを合わせ持ち、場合に応じて両者のいずれかを使い分けることで、その場の状況に応じて外部装置との間で効率的にデータ伝送を行うことができるようになっている。
【０００７】
一方、デジタルカメラ等の撮影装置を水中等の環境下で使用するために、水密性を有する防水ケース等の透明筐体（以下、単に防水ケースという）が広く普及している。
【０００８】
このような防水ケースにデジタルカメラ等の撮影装置を入れた状態では、接続ケーブルを接続することができないので、有線接続ＩＦを利用したデータ伝送を行なうことができないことになる。
【０００９】
例えば、デジタルカメラを防水ケースに入れた状態で水中撮影等に使用した後、デジタルカメラ内の記録媒体に記録された画像ファイルを外部装置へとデータ伝送する場合において、有線接続ＩＦを使用するためには、デジタルカメラを防水ケースから取り出す必要がある。
【００１０】
しかしながら、データ伝送を行った後、再度、水中使用を繰り返して行うような使用状況の場合には、一連の使用環境の間は、防水ケースの開閉をできるだけ避けたいという事情がある。このことは、防水ケースの開閉時に、防水ケースの嵌合部等に微小なゴミ等を挟み込んでしまう等、防水ケースの水密性を損なう要因が存在するためである。
【００１１】
そこで、例えば特開２００５−３４１１５４号公報によって開示されている技術手段は、防水ケース自体に無線接続ＩＦを具備し、この防水ケース内の所定の位置にデジタルカメラを配置したときには、デジタルカメラの有線接続ＩＦが防水ケースの無線接続ＩＦと電気的に接続されるように構成している。
【００１２】
これによれば、デジタルカメラを防水ケース内に配置して、デジタルカメラの有線接続ＩＦと防水ケースの無線接続ＩＦとを接続することで、デジタルカメラを防水ケースに入れた状態で無線通信を行うことができるというものである。
【特許文献１】特開２００５−３４１１５４号公報
【発明の開示】
【発明が解決しようとする課題】
【００１３】
ところが、上述の特開２００５−３４１１５４号公報によって開示されている手段によれば、防水ケースの側に無線接続ＩＦを設けるようにしていることから、防水ケース自体が電子機器となるので、防水ケースとデジタルカメラ等の複数機器からなるシステムとして考える必要があり、効率的な保守を行なうことが難しくなるという問題点がある。
【００１４】
また、デジタルカメラ自体に有線接続ＩＦと無線接続ＩＦを備えて構成されている場合には、デジタルカメラを防水ケースに入れたときには、デジタルカメラ側の無線接続ＩＦを利用した方が効率的であると考えられる。
【００１５】
本発明は、上述した点に鑑みてなされたものであって、その目的とするところは、外部装置との間でデータ通信を行うための有線通信手段及び無線通信手段を具備するデジタルカメラ等の撮影装置であって、防水ケース内に撮影装置（デジタルカメラ）を装填した状態で使用する際に、操作性を損なうことなく特別な設定操作等を不要としながら容易に外部装置とのデータ通信を行うことができるようにしたデジタルカメラ等の撮影装置を提供することである。
【課題を解決するための手段】
【００１６】
上記目的を達成するために、本発明による撮影装置は、外部装置との間でデータ通信可能な撮影装置であって、有線接続により外部装置との間でデータ信号を送受信する有線通信手段と、無線接続により外部装置との間でデータ信号を送受信する無線通信手段と、上記有線通信手段及び上記無線通信手段のオンオフ制御を行う通信制御手段と、当該撮影装置の全体を覆うケースが装着されたことを検出する検出手段と、を具備し、上記通信制御手段は、上記検出手段が当該撮影装置に上記ケースが装着されたことを検出した場合には、上記有線通信手段をオフ制御し上記無線通信手段をオン制御することを特徴とする。
【発明の効果】
【００１７】
本発明によれば、外部装置との間でデータ通信を行うための有線通信手段及び無線通信手段を具備するデジタルカメラ等の撮影装置であって、防水ケース内に撮影装置（デジタルカメラ）を装填した状態で使用する際に、操作性を損なうことなく特別な設定操作等を不要としながら容易に外部装置とのデータ通信を行うことができるようにしたデジタルカメラ等の撮影装置を提供することができる。
【発明を実施するための最良の形態】
【００１８】
以下、図示の実施の形態によって本発明を説明する。
【００１９】
図１は、本発明の第１の実施形態の撮影装置（デジタルカメラ）の内部構成の概略を示すブロック構成図である。図２は、図１のデジタルカメラを防水ケース内の所定の位置に配設した状態を示す外観図である。なお、図２においては防水ケースが開放されている状態を示している。
【００２０】
本実施形態の撮影装置は、例えば光学レンズ等によって形成される被写体像を受光して、これを撮像素子等によって光電変換して電気的な画像信号を取得し、この画像信号を画像データとして記録媒体等に記録するための構成を具備し、かつ外部装置（例えば小型コンピュータ等の画像再生装置又は画像処理装置や外部ストレージ装置，他のデジタルカメラ等の撮影装置，プリンター等の画像印刷装置等）との間でデータ通信を行うための有線通信機能及び無線通信機能を具備するデジタルカメラである。
【００２１】
本実施形態の撮影装置であるデジタルカメラ（以下、単にデジタルカメラという）１００は、図１に示すように、レンズ１と、撮像素子２と、撮像回路３と、Ａ／Ｄ変換器（図１では単に「Ａ／Ｄ」と表記している）４と、信号処理回路５と、フレームメモリ６と、ＦＩＦＯメモリ７と、ＴＦＴ液晶駆動回路９と、ＴＦＴパネル１０と、バックライトユニット１１と、ビデオ出力回路１２と、ビデオ出力端子１３と、記録バッファ１４と、記録媒体インターフェース（記録媒体Ｉ／Ｆ）１５と、記録媒体１６と、アクチュエータ１７と、アクチュエータ駆動回路１８と、外部有線データインターフェース（外部有線データＩ／Ｆ）２２と、キーマトリクス２３と、ＬＣＤ表示回路２４と、ＬＣＤパネル２５と、電池２６と、電源回路２７と、バックアップ電源２８と、電池状態検出回路２９と、第１ＣＰＵ３１と、第２ＣＰＵ３２と、ＥＥＰＲＯＭ１９と、外部無線データインターフェース（Ｉ／Ｆ）２０と、無線アンテナ２１と、防水ケース検出回路３３等によって主に構成されている。
【００２２】
レンズ１は、光学的な被写体像を形成し、これを撮像素子２の受光面上に結像させるために設けられるものである。
【００２３】
撮像素子２は、レンズ１によって形成される光学的な被写体像を受けて光電変換処理を行って、電気的な画像信号を出力する素子である。この撮像素子２としては、高速読み出しを行うことができるタイプの固体撮像素子であって、例えばＣＣＤ（電荷結合素子），ＣＭＯＳ（相補型金属酸化膜半導体）あるいはその他の各種のタイプの撮像素子が適用され得る。
【００２４】
撮像回路３は、撮像素子２からの出力信号を受けて、その画像信号に対して各種のアナログ信号処理を行う電子回路である。
【００２５】
Ａ／Ｄ変換器４は、撮像回路３から出力されるアナログ形式の画像信号を受けて、デジタル形式の画像信号に変換するための回路である。
【００２６】
なお、本実施形態のデジタルカメラ１００においては、上述のレンズ１，撮像素子２，撮像回路３，Ａ／Ｄ変換器４等によって、被写体を撮影する撮影手段の主要部が構成される。
【００２７】
信号処理回路５は、Ａ／Ｄ変換器４から出力されたデジタル形式の画像信号を受けて、各種のデジタル的な信号処理を行う回路である。
【００２８】
フレームメモリ６は、信号処理回路５によって処理された画像信号を受けて、処理済の画像信号や、この画像信号に関する各種データ等を一時的に記憶する一時記憶手段である。このフレームメモリ６としては、例えばＳＤＲＡＭ等の半導体記憶素子等が適用される。
【００２９】
ＦＩＦＯメモリ７は、画像信号を各種の表示装置へ向けて出力する際に、当該画像信号の一時的な記憶を行うために設けられるメモリである。
【００３０】
ＴＦＴ液晶駆動回路９は、ＦＩＦＯメモリ７から出力される画像信号を受けてＴＦＴパネル１０を制御する回路である。
【００３１】
ＴＦＴパネル１０は、ＴＦＴ液晶駆動回路９の制御によって画像信号に基づく画像や当該デジタルカメラ１００における各種の情報等を表示するための表示部であり、カラー表示可能なものが用いられる。
【００３２】
ＴＦＴパネル１０は、図２に示すようにデジタルカメラ１００の背面側の略中央部に、その表示面を外側に向けて配設されている。
【００３３】
バックライトユニット１１は、ＴＦＴパネル１０の背面側に設けられ、当該ＴＦＴパネル１０を背面側から照明するためのものである。
【００３４】
なお、本実施形態のデジタルカメラ１００においては、上述のＴＦＴ液晶駆動回路９，ＴＦＴパネル１０，バックライトユニット１１等によって、上記撮影手段により撮影された被写体像を画像として表示する表示手段の主要部が構成される。
【００３５】
ビデオ出力回路１２は、ＦＩＦＯメモリ７からの画像信号を受けて、例えばＮＴＳＣ形式のビデオ信号に変換し、ビデオ出力端子１３を介して、当該ビデオ出力端子１３に接続される外部表示装置等へ出力するための回路である。
【００３６】
ビデオ出力端子１３は、本デジタルカメラ１００と外部表示装置等との間を電気的に接続するビデオケーブル等の信号線を接続するための接続端子である。
【００３７】
記録バッファ１４は、フレームメモリ６に一時的に記憶されている画像信号等を記録媒体１６に画像データとして記録するとき、若しくは記録媒体１６から画像データを読み出してフレームメモリ６に一時的に記憶するとき等に用いられるバッファ（一時保存領域）である。
【００３８】
記録媒体Ｉ／Ｆ１５は、記録媒体１６への画像データ等の記録処理や、記録媒体１６からの画像データ等の読み出し処理等を制御するための回路である。
【００３９】
記録媒体１６は、画像データやその他の各種データを記録するための不揮発性の記録媒体、例えば薄板形状，カード形状からなるメモリカード等である。この記録媒体１６としては、例えばデジタルカメラ１００等の機器に対して着脱自在とする形態のものや、デジタルカメラ１００等の機器内部の電気回路に固設されている形態のもの等、様々な形態のものがあり、いずれの形態のものでも、本実施形態のデジタルカメラ１００に適用し得る。
【００４０】
なお、本実施形態のデジタルカメラ１００においては、記録媒体１６はカメラに対して着脱自在に配置される形態のものが用いられている。
【００４１】
上述の記録バッファ１４，記録媒体Ｉ／Ｆ１５等によって、上記撮影手段で撮影された画像に関する画像信号及びその付随データ等を所定の形態のデータとして記録媒体１６に記憶する画像記憶手段の主要部が構成される。
【００４２】
アクチュエータ１７は、レンズ１を駆動して、オートフォーカス動作を行ったりあるいはズーミング動作を行ったりするための駆動源である。
【００４３】
アクチュエータ駆動回路１８は、第１ＣＰＵ３１の制御に基づいてアクチュエータ１７を制御し駆動する回路である。
【００４４】
外部有線データインターフェース（外部有線データＩ／Ｆ）２２は、本デジタルカメラ１００と外部装置（図示せず）との間において画像データ等の送受信を接続ケーブル等を介して行うための接続部分（インターフェース）であって、例えばＵＳＢ（Ｕniversal Ｓerial Ｂus）規格やＩＥＥＥ１３９４規格等に準拠した有線通信機能を有するものが適用される。本実施形態は、ＵＳＢ規格に準拠した有線通信機能を有するシステムとして例示している。
【００４５】
この外部有線データインターフェース２２及びこれに接続される接続ケーブル（図示せず）と、第１ＣＰＵ３１のシステムコントロール部３１ａ内に設けられる通信制御手段としてのＵＳＢ通信制御機能部３１ｂ等によって、本デジタルカメラ１００と外部装置との間で有線接続することにより情報（データ信号）を送受信する有線通信手段の主要部が構成される。
【００４６】
キーマトリクス２３は、本実施形態のデジタルカメラ１００に設けられる各種の操作スイッチや操作ボタン等を含む操作入力手段の総称として用いている。即ち、キーマトリクス２３の具体的な構成例は、例えば図２に示すように、当該デジタルカメラ１００の電源状態をオン又はオフ状態に切り換える電源ボタン（図示せず）や、撮影動作を開始させるレリーズボタン２３ａ、撮影動作モード時には撮影倍率を変更するズームボタンとして機能する一方、再生動作モード時には再生画像の拡大表示や縮小表示の表示切換ボタンとして機能するズームレバー２３ｂ，メニュー画面を呼び出す等各種の機能に割り当てられる各種操作ボタン２３ｃ，動作モードを切り換えるモード切換ダイヤル２３ｄ，メニュー画面などの選択設定を行う四方向選択キー（十字キーともいう）２３ｆ，各種の操作ボタンを用いて選択した項目を決定する指示を行うＯＫボタン２３ｇ等等、各種の操作部材と、これらの操作部材のそれぞれに連動し所定の指示信号を発生させるスイッチ部材及び各スイッチ部材からの指示信号を伝達する電気回路等を含んで構成される入力操作系の構成部材である。このキーマトリクス２３の各操作部材が操作されることによって発生した指示信号は、第１ＣＰＵ３１に向けて出力されるようになっている。
【００４７】
なお、本実施形態のデジタルカメラ１００におけるキーマトリクス２３を構成する各種の操作部材（２３ｂ，２３ｃ，２３ｄ，２３ｆ，２３ｇ）は、図２に示すように外装部材の一部である背面カバー１０１の表面上の所定の部位にそれぞれ設けられている。このうちモード切換ダイヤル２３ｄは、本デジタルカメラ１００の背面カバー１０１に対して回動自在に軸支されている。また、レリーズボタン２３ａは、本デジタルカメラ１００の上面側の所定の部位に配置されている。
【００４８】
ＬＣＤ表示回路２４は、第１ＣＰＵ３１の制御に基づいてＬＣＤパネル２５を制御し、これに各種の情報表示を行わせる回路である。
【００４９】
ＬＣＤパネル２５は、例えば小型の液晶表示装置（ＬＣＤ）等によって構成され、当該デジタルカメラ１００において設定済みの各種設定情報、例えば撮影モード等の動作モード情報や、記録媒体１６に記録可能な画像の枚数情報，撮影時のシャッタ速度や絞り値等の露出に関する情報等を表示する情報表示部材である。
【００５０】
電池２６は、当該デジタルカメラ１００における主（メイン）電源である。
【００５１】
バックアップ電源２８は、当該デジタルカメラ１００の内部メモリや内部時計等に対して常に電力を供給するために設けられ、例えば本デジタルカメラ１００における各種の設定値等の情報や日時情報等を保持したり、日付表示を上記ＬＣＤパネル２５等を用いて常時行い得るようにするための副（サブ）電源である。
【００５２】
電源回路２７は、第１ＣＰＵ３１の指令に基づいて上記電池２６及び上記バックアップ電源２８からの電源を受けて、本デジタルカメラ１００の内部の各電気回路へと適宜供給する制御を行う回路である。
【００５３】
電池状態検出回路２９は、電池２６における電圧等、当該電池２６の状態を検出して、同電池２６の電池残量等を算出し、その結果を第１ＣＰＵ３１へと出力する回路である。
【００５４】
第１ＣＰＵ３１は、主（メイン）ＣＰＵとして配設されているものである。この第１ＣＰＵ３１は、本実施形態のデジタルカメラ１００における各回路を統括的に制御するための制御手段である。そのために、本デジタルカメラ１００の第１ＣＰＵ３１は、同デジタルカメラ１００におけるシステム全体を適宜制御（コントロール）するためのシステムコントロール部３１ａを備えている。
【００５５】
このシステムコントロール部３１ａの内部には、各種の電気回路等が形成されていて、例えばＵＳＢ通信制御機能部３１ｂ，ＷＵＳＢ通信制御機能部３１ｃ，カメラ通信モード切換機能部３１ｅ等等、本デジタルカメラ１００の動作機能を制御するための各種の機能を実現する制御回路を内部に有して構成されている。
【００５６】
ＵＳＢ通信制御機能部３１ｂは、例えばＵＳＢ規格に準拠した有線通信機能を実現するための有線通信手段、即ち外部有線データインターフェース２２等のオンオフ制御等を行う通信制御手段となる回路である。
【００５７】
ＷＵＳＢ通信制御機能部３１ｃは、例えばワイヤレスＵＳＢ（Ｗireless Ｕniversal Ｓerial Ｂus；ＷＵＳＢ）規格に準拠した無線通信機能を実現するための無線通信手段（詳細は後述する）、即ち外部無線データインターフェース２０等のオンオフ制御等を行う通信制御手段となる回路である。
【００５８】
カメラ通信モード切換機能部３１ｅは、本デジタルカメラ１００と外部装置（図示せず）との間におけるデータ通信を行う際の通信モードのうち有線通信モードと無線通信モードとの切り換え制御を行う回路である。
【００５９】
上記第１ＣＰＵ３１は、主に各種の動作制御を行うための集積回路である。一方、第２ＣＰＵ３２は、主に画像データ等のデータを扱う各種の処理制御を行う集積回路である。
【００６０】
即ち、第２ＣＰＵ３２は、例えばフレームメモリ６に一時的に記憶されている画像データを受けて各種の信号処理を施す各種の回路、例えば画像圧縮伸張部３２ｃ，記録媒体アクセス部３２ｂ等を内部に有して構成されている。
【００６１】
画像圧縮伸張部３２ｃは、フレームメモリ６に記憶されている画像データ等を読み出して、例えばＪＰＥＧ圧縮処理等を行ったり、記録媒体１６から読み出された圧縮画像データ等の伸張処理等を行うものである。
【００６２】
記録媒体アクセス部３２ｂは、記録媒体インターフェース１５による記録媒体１６へのアクセスを制御するための回路部である。
【００６３】
ＥＥＰＲＯＭ１９は、第１ＣＰＵ３１，第２ＣＰＵ３２により実行される処理プログラム（アプリケーションソフトウエア）等や、外部装置と通信するための通信設定情報等のデータ等等、本デジタルカメラ１００における各種の設定データや固有データ等を記憶し保持するための不揮発性記憶媒体である。このＥＥＰＲＯＭ１９としては、例えばフラッシュロム（ＦｌａｓｈＲＯＭ）等が適用される。
【００６４】
さらに、本実施形態のデジタルカメラ１００においては、無線通信機能を備えた外部装置との間で無線接続を確立することにより情報（データ信号）を送受信する無線通信を行ない得る無線通信手段を具備している。即ち、本デジタルカメラ１００は、図２に示すように無線アンテナ２１，外部無線データインターフェース２０，第１ＣＰＵ３１のシステムコントロール部３１ａ内に設けられる通信制御手段としてのＷＵＳＢ通信制御機能部３１ｃ等からなる無線通信手段を有して構成されている。
【００６５】
無線アンテナ２１は、本デジタルカメラ１００と外部装置（図示せず）との間で無線によるデータ通信等を行うのに際して、外部装置から発信される所定の形態の電磁波等の無線信号を受信すると共に、本デジタルカメラ１００から発信する所定の形態の電磁波等の無線信号を送信する無線信号入出力部である。
【００６６】
無線アンテナ２１は、外部無線データインターフェース２０に接続されていて、送受信した無線信号を外部無線データインターフェース２０に対して入出力するようになっている。
【００６７】
外部無線データインターフェース２０は、無線アンテナ２１と第１ＣＰＵ３１との間に介在し上記無線アンテナ２１により入力された無線信号を所定の形態の電気信号に変換して第１ＣＰＵ３１へ出力したり、第１ＣＰＵ３１からの信号を無線信号に変換して無線アンテナ２１へと出力する無線通信接続部（インターフェース）として機能している。
【００６８】
外部無線データインターフェイス２０は、第１ＣＰＵ３１のシステムコントロール部３１ａのＷＵＳＢ通信制御機能部３１ｄによって制御される。
【００６９】
防水ケース検出回路３３は、デジタルカメラ１００（撮影装置）の全体を覆う防水ケース１０３（図２参照）が、当該デジタルカメラ１００に装着されたことを検出するための検出手段であって電気接点や電気回路等からなる。この防水ケース検出回路３３は、第１ＣＰＵ３１と電気的に接続されている。
【００７０】
換言すれば、防水ケース検出回路３３は、防水ケース１０３の内部の所定の部位に本実施形態のデジタルカメラ１００が配設され、かつその状態（防水ケース１０３内にデジタルカメラ１００を装填した状態）において当該防水ケース１０３が水密的に密封状態とされたことを検出する電気回路である。
【００７１】
また、これに応じて、本実施形態のデジタルカメラ１００は、図２に示すように外装部材の一部である背面カバー１０１の所定の部位に、防水ケース１０３の所定の部位に対応して設けられる防水ケース検出機構を具備して構成されている。この防水ケース検出機構は、上述の防水ケース検出回路３３に作用するようになっている。
【００７２】
ここで、防水ケース１０３の構成は、次のようになっている。即ち、本実施形態のデジタルカメラ１００に対応する防水ケース１０３は、図２に示すように、デジタルカメラ１００の主に前面側を覆い得るようにシェル状に形成される前側シェル１０３ｂと、同デジタルカメラ１００の主に背面側を覆い得るようにシェル状に形成される後側シェル１０３ａとによって構成される。前側シェル１０３ｂと後側シェル１０３ａとは、当該防水ケース１０３の一側部に設けられる蝶番部１０３ｃによって互いに回動自在に軸支されている。そして、蝶番部１０３ｃを回転中心として前側シェル１０３ｂと後側シェル１０３ａとを互いに対向するように配置させ、両者の外周縁部を密着させたとき、内部に所定の水密空間が形成されるようになっている。この水密空間の内部に、デジタルカメラ１００が配置されるように形成されている。なお、防水ケース１０３は、全体が略透明な樹脂製部材等によって形成されている。
【００７３】
防水ケース１０３の後側シェル１０３ａの内面における所定の部位には、防水ケース１０３側の防水ケース検出機構の構成部材としての接触片１０３ｄが配設されている。この接触片１０３ｄは、図２のＡ−Ａ線に沿う部位の断面（二箇所とも同様）が凸形状の嵌合凸部を形成し、この二箇所の嵌合凸部は連結されるように形成されている。接触片１０３ｄは、金属片等の導電体によって構成されている。
【００７４】
そして、防水ケース１０３の内部にデジタルカメラ１００を装填して密封した状態にしたとき、接触片１０３ｄの二つの凸部に対向する部位、即ちデジタルカメラ１００の背面カバー１０１の所定の部位に、本デジタルカメラ１００側に防水ケース検出機構の構成部としての嵌合孔である被検出凹部３３ａ，３３ｂが形成されている。
【００７５】
デジタルカメラ１００側の被検出凹部３３ａ，３３ｂは、防水ケース１０３とデジタルカメラ１００とを上述のような状態（デジタルカメラ１００を防水ケース１０３内に密封状態で装填した状態）としたときに、防水ケース１０３側の接触片１０３ｄの二つの凸部のそれぞれが嵌合し得るように、図２のＢ−Ｂ線に沿う断面が凹形状となるように形成されている。
【００７６】
なお、本実施形態のデジタルカメラ１００における被検出凹部３３ａ，３３ｂは、本デジタルカメラ１００を背面カバー１０１の側（背面側）から見たとき（図２参照）に、その左側端部近傍の中程の部位に二つ形成されている。これに対応させて、防水ケース１０３側の接触片１０３ｄの二つの凸部が配置されている。したがって、防水ケース１０３の内部にデジタルカメラ１００を装填して密封状態としたときには、接触片１０３ｄの二つの凸部が二つの被検出凹部３３ａ，３３ｂのそれぞれに嵌合するようになっている。
【００７７】
デジタルカメラ１００側の被検出凹部３３ａ，３３ｂの内部には、上述の防水ケース検出回路３３（図１参照）の電気接点（図示せず）が配設されていて、この電気接点は、防水ケース検出回路３３を介して第１ＣＰＵ３１と電気的に接続されている。したがって、接触片１０３ｄの各凸部が被検出凹部３３ａ，３３ｂ内に正しく嵌合状態となったときには、接触片１０３ｄによって被検出凹部３３ａ，３３ｂ内の二つの電気接点が通電することになる。これにより、第１ＣＰＵ３１は、防水ケース検出回路３３を介して本デジタルカメラ１００が防水ケース１０３内に装着されていることを検出し得るようになっている。
【００７８】
そして、図２に示すように、本デジタルカメラ１００においては、背面カバー１０１の所定の部位であって、モード切換ダイヤル２３ｄの外周部近傍部位に、指標凸部１０１ａが形成されている。この指標凸部１０１ａに対してモード切換ダイヤル２３ｄを回動させて同モード切換ダイヤル２３ｄのダイヤル表面上に記述された動作モードを表わす表示を合致させることで、所望の動作モードを選択設定することができるようになっている。指標凸部１０１ａは、そのための指標である。
【００７９】
防水ケース１０３の外表面上には、内部に配設したデジタルカメラ１００の各操作部材に対応させて外部からデジタルカメラ１００側の各操作部材に作用してこれらを操作し得るような操作ボタン等が配設されており、またデジタルカメラ１００のレンズ１やＴＦＴパネル１０の表示部にそれぞれ対応する部位には平面かつ透明部が形成されている。なお、防水ケース１０３の詳細な形状等については、本発明に直接関係しない部分であるので図２において詳細な図示は省略している。
【００８０】
また、本デジタルカメラ１００について、その他の本発明に関連しない部分の構成については、通常一般のデジタルカメラと同様の構成であるものとして、その詳細な図示及び説明は省略する。
【００８１】
このように構成された本実施形態のデジタルカメラ１００の作用を以下に説明する。
【００８２】
図３は、本実施形態のデジタルカメラを起動（パワーオン）したときに、デジタルカメラに防水ケースが装着されているか否かを検出する防水ケース検出処理がなされる際の作用の流れを示すフローチャートである。
【００８３】
まず、本実施形態のデジタルカメラ１００の電源ボタン（図示せず）が使用者により操作される等により、本デジタルカメラ１００は起動する（パワーオン）。
【００８４】
すると、図３のステップＳ１において、本デジタルカメラ１００の第１ＣＰＵ３１は、本デジタルカメラ１００の内部回路の初期化処理を実行する。この初期化処理は、通常のデジタルカメラで行われるのと同様の処理である。その後、ステップＳ２の処理に進む。
【００８５】
ステップＳ２において、本実施形態のデジタルカメラ１００は、第１ＣＰＵ３１の制御により防水ケース検出処理の実行を開始する。この防水ケース検出処理は、第１ＣＰＵ３１が防水ケース検出回路３３からの信号を監視する信号監視処理である。第１ＣＰＵ３１は、当該処理ステップにて、この信号監視処理を開始し継続させる。その後、ステップＳ３の処理に進む。
【００８６】
ステップＳ３において、第１ＣＰＵ３１は、本デジタルカメラ１００が防水ケース１０３内に入っている状態にあるか否かの判断する処理を行う。この判断は、上述のステップＳ２における防水ケース検出処理の結果に基づく判断である。
【００８７】
ここで、デジタルカメラ１００が防水ケース１０３内に入っている状態とは、具体的には、デジタルカメラ１００が防水ケース１０３の内部の所定の部位に配設された状態において防水ケース１０３が密封された状態、換言すれば、デジタルカメラ１００が防水ケース１０３内に装填されている状態をいうものとする。
【００８８】
この状態にあるときには、上述したように防水ケース１０３の接触片１０３ｄの各凸部が、デジタルカメラ１００の背面カバー１０１の被検出凹部３３ａ，３３ｂのそれぞれに嵌合した状態となる。このとき、接触片１０３ｄの各凸部が被検出凹部３３ａ，３３ｂ内の各電気接点に接触する。これにより、被検出凹部３３ａ，３３ｂ内の各電気接点は通電状態となる。
【００８９】
第１ＣＰＵ３１は、防水ケース検出回路３３を介してこの通電状態を検知することで、本デジタルカメラ１００が防水ケース１０３内に入っている（装着されている）ことを検出する。
【００９０】
そこで、上述のステップＳ３の処理において、第１ＣＰＵ３１は、防水ケース検出回路３３からの所定の信号（二つの電気接点が通電状態にある旨の信号）を受けた場合、本デジタルカメラ１００が防水ケース１０３内に入っている状態にあると判断して、次のステップＳ４の処理に進む。
【００９１】
ステップＳ４において、第１ＣＰＵ３１は、システムコントロール部３１ａのカメラ通信モード切換機能部３１ｅを制御して通信モードの設定を無線通信モードに切り換え設定すると共に、ＷＵＳＢ通信制御機能部３１ｃを制御して無線通信手段による無線通信機能をオン制御する。また、ＵＳＢ通信制御機能部３１ｂを制御して有線通信手段による有線通信機能をオフ制御する。その後、本デジタルカメラ１００は、次の動作指示を待機する待機状態となる。ここで、何らかの動作指示が生じた場合、第１ＣＰＵ３１は、これを受けてその動作指示に応じた処理に移行する（リターン）。
【００９２】
一方、上述のステップＳ３の処理において、第１ＣＰＵ３１は、防水ケース検出回路３３からの所定の信号を検出し得なかった（二つの電気接点が通電状態にない）場合には、本デジタルカメラ１００が防水ケース１０３内に入っている状態にはないと判断して、ステップＳ５の処理に進む。
【００９３】
ステップＳ５において、第１ＣＰＵ３１は、システムコントロール部３１ａのカメラ通信モード切換機能部３１ｅを制御して通信モードの設定を有線通信モードに切り換え設定すると共に、ＵＳＢ通信制御機能部３１ｂを制御して有線通信手段による有線通信機能をオン制御する。また、ＷＵＳＢ通信制御機能部３１ｃを制御して無線通信手段による無線通信機能をオフ制御する。ただし、この場合においては、無線通信手段を用い得る環境でもあるので、使用者は任意に通信モードの変更設定を行なうことにより、通常設定の有線通信モードから無線通信モードに切り換えて使用することも可能である。
【００９４】
その後、本デジタルカメラ１００は、次の動作指示を待機する待機状態となる。ここで、何らかの動作指示が生じた場合、第１ＣＰＵ３１は、これを受けてその動作指示に応じた処理に移行する（リターン）。
【００９５】
以上説明したように上記第１の実施形態によれば、デジタルカメラ１００の背面カバー１０１において、防水ケース１０３の後側シェル１０３ａの内面に設けられる接触片１０３ｄの凸部に対応する部位に被検出凹部３３ａ，３３ｂを設け、この被検出凹部３３ａ，３３ｂに電気接点を設けることで、当該デジタルカメラ１００に防水ケース１０３が装着されたことを検出する防水ケース検出手段を構成している。
【００９６】
そして、デジタルカメラ１００を防水ケース１０３内に配置して、防水ケース１０３を密封状態にしたとき、上記接触片１０３ｄの凸部と被検出凹部３３ａ，３３ｂの電気接点とが接触することで、本デジタルカメラ１００の第１ＣＰＵ３１は、当該デジタルカメラ１００に防水ケース１０３が装着されたことを検出し、防水ケース１０３が装着されていることが検出された場合には、第１ＣＰＵ３１は、自動的に通信モードの切り換えを行って、無線通信モードに切り換えるようにしている。
【００９７】
つまり、防水ケース１０３内にデジタルカメラ１００を装填した状態では、有線通信モードでの使用が困難な状況になることから、デジタルカメラ１００が、このような状態、即ち防水ケース１０３内にデジタルカメラ１００が装填されて、防水ケース１０３が水密的に密封状態とされたときには、デジタルカメラ１００の通信モード設定を、無線通信モードに切り換えるようにしている。
【００９８】
したがって、本実施形態のデジタルカメラ１００によれば、使用時の機器の状況、即ち防水ケース１０３内に装填された状態か否かによって、有線通信モードと無線通信モードとの切り換え制御が自動的に行なわれるので、使用者がその都度、通信モードの設定変更を行う必要がない。これにより、使用者は、防水ケース１０３内にデジタルカメラ１００を装填する操作を行ったり、防水ケース１０３に装填しないで使用する場合等、使用状況に関らず通信モード設定を特に意識することなく、デジタルカメラ１００の通信機能を使用することができ、よって、防水ケース１０３を利用する際の操作性の向上に寄与することができる。
【００９９】
上述の第１の実施形態においては、デジタルカメラ１００に防水ケース１０３が装着されたことを検出する検出手段として、デジタルカメラ１００側の嵌合孔（被検出凹部３３ａ，３３ｂ）及び防水ケース１０３側の嵌合凸部(接触片１０３ｄの凸部)とからなる防水ケース検出機構と、デジタルカメラ１００側の電気接点及び防水ケース１０３側の接触片１０３ｄと、これら両者の接触状態を検出する防水ケース検出回路３３とによって構成している。しかしながら、本発明は、このような形態に限ることはない。
【０１００】
次に示す本発明の第２の実施形態の撮影装置（デジタルカメラ）は、上述の第１の実施形態のデジタルカメラとは異なる別の構成からなる検出手段によって、同様の効果を得ようとするものである。
【０１０１】
図４は、本発明の第２の実施形態を示す図であって、本実施形態の撮影装置であるデジタルカメラを防水ケース内の所定の位置に配設した状態を示す外観図である。なお、図４においては図２と同様に防水ケースが開放されている状態を示している。
【０１０２】
本実施形態のデジタルカメラ１００Ａは、上述の第１の実施形態と略同様の構成からなるものであるが、上述の第１の実施形態とは、上記検出手段の構成及びその作用が若干異なる。したがって、本実施形態においては、上述の第１の実施形態と同じ構成部材については、その詳細説明を省略し、異なる構成についてのみ、以下に説明する。
【０１０３】
本実施形態のデジタルカメラ１００Ａにおいては、上述の第１の実施形態における被検出凹部３３ａ，３３ｂに代えて被検出凹部３３ｃを設けて構成されている。そして、これに対応する防水ケース１０３Ａ側の部位には、検出凸部１０３ｅが突設されており、これによって防水ケース検出機構が構成されている。
【０１０４】
上記被検出凹部３３ｃの内部には、例えば押圧スイッチ部材（図示せず）が配設されており、この押圧スイッチ部材は、防水ケース検出回路３３に電気的に接続されている。
【０１０５】
その他の構成は、上述の第１の実施形態と略同様である。
【０１０６】
このような構成により、本実施形態においては、デジタルカメラ１００Ａを防水ケース１０３Ａ内に配置して、防水ケース１０３Ａを密封状態にしたとき、防水ケース１０３Ａの後側シェル１０３Ａａの検出凸部１０３ｅと、デジタルカメラ１００Ａの背面カバー１０１Ａの被検出部凹部３３ｃとが嵌合状態になり、このとき検出凸部１０３ｅが被検出部凹部３３ｃ内の押圧スイッチ部材を押圧する。これにより、押圧スイッチ部材は、所定の指示信号を発生させる。この指示信号は、防水ケース検出回路３３を介して第１ＣＰＵ３１へと伝達される。これを受けて第１ＣＰＵ３１は、デジタルカメラ１００Ａに防水ケース１０３Ａが装着されたことを検出する。
【０１０７】
そして、防水ケース１０３Ａが装着されていることが検出された場合には、第１ＣＰＵ３１は、上述の第１の実施形態と同様に、自動的に通信モードの切り換えを行って無線通信モードに切り換える。
【０１０８】
以上説明したように上記第２の実施形態によれば、上述の第１の実施形態と同様の効果を得ることができる。
【０１０９】
次に、本発明の第３の実施形態の撮影装置（デジタルカメラ）について、以下に説明する。
【０１１０】
図５〜図７は、本発明の第３の実施形態を示す図であって、このうち図５は、本実施形態の撮影装置であるデジタルカメラを防水ケース内の所定の位置に配設した状態を示す外観図である。なお、図５においては図２，図４と同様に防水ケースが開放されている状態を示している。また、図６，図７は、図５に示すデジタルカメラにおけるモード切換ダイヤルを取り出して示す要部拡大図であって、図６はモード切換ダイヤルを水中撮影モードに設定した状態を示し、図７はモード切換ダイヤルを通常撮影モードに設定した状態を示している。
【０１１１】
本実施形態のデジタルカメラ１００Ｂは、上述の第１の実施形態と略同様の構成からなるものであるが、上述の第１の実施形態とは、上記検出手段の構成及びその作用が若干異なる。したがって、本実施形態においては、上述の第１の実施形態と同じ構成部材については、その詳細説明を省略し、異なる構成についてのみ、以下に説明する。
【０１１２】
本実施形態のデジタルカメラ１００Ｂにおいては、上述の第１の実施形態における被検出凹部３３ａ，３３ｂに代えて被検出凹部３３ｄをモード切換ダイヤル２３Ｂｄのダイヤル面上の所定の部位に設けて構成している。そして、これに対応する防水ケース１０３Ｂ側の部位には、検出凸部１０３ｆが突設されており、これによって防水ケース検出機構が構成されている。
【０１１３】
防水ケース１０３Ｂ側の検出凸部１０３ｆは、モード切換ダイヤル２３Ｂｄが所定の設定モード、即ち水中撮影に適した撮影モードである水中撮影モードに設定されたときにのみ被検出凹部３３ｄと嵌合し得るようになっている。つまり、モード切換ダイヤル２３Ｂｄが水中撮影モード以外に設定されている状態では、検出凸部１０３ｆと被検出凹部３３ｄとは嵌合し得ず、よって防水ケース１０３Ｂを密封状態とすることができないようになっている。
【０１１４】
このように構成される本実施形態のデジタルカメラ１００Ｂの防水ケース検出機構の詳細を、さらに詳しく説明する。
【０１１５】
本実施形態のデジタルカメラ１００Ｂにおけるモード切換ダイヤル２３Ｂｄは、上述の第１の実施形態におけると同様に、本デジタルカメラ１００Ｂの背面カバー１０１に対して回動自在に軸支されている。
【０１１６】
このモード切換ダイヤル２３Ｂｄのダイヤル表面上には、図６，図７に示すように、動作モードを表わす複数の表示が、例えば文字，絵文字等によって周方向に沿って印刷若しくは刻印等の手段により記述されている。
【０１１７】
ここで、図６，図７における表示例について詳述すると、例えば符号４１で示される表示は動画撮影モードを、符号４２で示される表示は使用説明モード（ＧＵＩＤＥ）を、符号４３で示される表示は水中撮影モードを、符号４４で示される表示は通常静止画撮影モードを、符号４５で示される表示は再生モードを、それぞれ示している。
【０１１８】
そして、使用者は、モード切換ダイヤル２３Ｂｄを図６，図７に示す矢印Ｒ方向に回動させて、モード切換ダイヤル２３Ｂｄ上の所望の設定モードの表示と、当該モード切換ダイヤル２３Ｂｄの外周部近傍部位に設けられている指標凸部１０１ａとを合致させることにより、本デジタルカメラ１００Ｂを所望の設定モードに設定することができるようになっている。
【０１１９】
通常の場合、デジタルカメラ１００Ｂを防水ケース１０３Ｂ内部に装填するのは、水中撮影等を行う場合に限られる。したがって、このような場合には、デジタルカメラ１００の撮影モード設定は、水中撮影モードに設定されるのが望ましい。
【０１２０】
そこで、このことを考慮して、本実施形態においては、モード切換ダイヤル２３Ｂｄが水中撮影モードに設定されている状態でのみ、防水ケース１０３Ｂを密封状態とすることができるような構成により、防水ケース１０３Ｂ内にデジタルカメラ１００Ｂが装填されたことを検出し得るようになっている。
【０１２１】
なお、本実施形態においては、モード切換ダイヤル２３Ｂｄによって動作モードを水中撮影モードに設定することにより、第１のＣＰＵ３１は、カメラ通信モード切換機能部３１ｅを制御して、自動的に無線通信モードに切り換える制御を行う。
【０１２２】
即ち、キーマトリクス２３のうちのモード切換ダイヤル２３Ｂｄからの指示信号（水中撮影モード設定信号）が、第１ＣＰＵ３１を介して防水ケース検出回路３３へと伝達されると、これを受けて防水ケース検出回路３３は、防水ケース１０３Ｂが装着されたことを検出し、第１ＣＰＵ３１に対してその旨の信号を伝達する。これを受けて第１ＣＰＵ３１は、カメラ通信モード切換機能部３１ｅを制御して通信モードを無線通信モードに切り換える制御を行う。その他の構成及び作用は、上述の第１の実施形態と略同様である。
【０１２３】
以上説明したように上記第３の実施形態においても、上述の第１の実施形態と同様の効果を得ることができる。また、本実施形態においては、さらに、デジタルカメラ１００Ｂ側の被検出凹部３３ｄと防水ケース１０３Ｂ側の検出凸部１０３ｆとが正しく嵌合するように構成した防水ケース検出機構のみによっても、使用者は、防水ケース１０３Ｂの装着状態を認知することができる。したがって、使用者がモード切換ダイヤル２３Ｂｄを水中撮影モードに設定する操作を忘れてデジタルカメラ１００Ｂを防水ケース１０３Ｂ内に装填することを抑止することができる。
【０１２４】
なお、本実施形態の構成に対しては、上述の第１の実施形態における電気接点及び接触片による構成や、上述の第２の実施形態における押圧スイッチ部材及び押圧凸部による構成を加えて適用することも可能である。
【０１２５】
即ち、本実施形態のデジタルカメラ１００Ｂの被検出凹部３３ｄに電気接点を設けると共に、防水ケース１０３Ｂの検出凸部１０３ｆを接触凸部とする構成にすれば、被検出凹部３３ｄと検出凸部１０３ｆとを嵌合状態とすることで、電気的な検出を行うことができる。
【０１２６】
一方、本実施形態のデジタルカメラ１００Ｂの被検出凹部３３ｄに押圧スイッチ部材を設けると共に、防水ケース１０３Ｂの検出凸部１０３ｆを押圧凸部とする構成にすれば、被検出凹部３３ｄと検出凸部１０３ｆとを嵌合状態とすることで、押圧凸部が押圧スイッチ部材を押圧し、これにより電気的な検出を行うことができる。
【０１２７】
次に、本発明の第４の実施形態の撮影装置（デジタルカメラ）について、以下に説明する。
【０１２８】
図８は、本発明の第４の実施形態の撮影装置（デジタルカメラ）の内部構成の概略を示すブロック構成図である。図９は、本実施形態のデジタルカメラを防水ケース内の所定の位置に配設した状態を示す外観図である。なお、図９においては、図２，図４，図５と同様に防水ケースが開放されている状態を示している。
【０１２９】
また、図１０は、本実施形態のデジタルカメラを起動（パワーオン）したときに、防水ケース検出処理がなされる際の作用の流れを示すフローチャートである。
【０１３０】
図８に示すように、本実施形態のデジタルカメラ１００Ｃの基本的な構成は、上述の各実施形態のデジタルカメラと略同様の構成からなる。本実施形態のデジタルカメラ１００Ｃにおいては、高速無線通信を行い得ると共に高精度測距を可能とする超広帯域（ＵＷＢ；Ｕltra Ｗide Ｂand) 無線システムを利用する無線通信手段及び測距手段を備えている点が異なる。
【０１３１】
本実施形態のデジタルカメラ１００Ｃにおける無線通信手段は、第１無線アンテナ２１ａ及び第２無線アンテナ２１ｂと、外部無線データインターフェース２０と、第１ＣＰＵ３１のシステムコントロール部３１ａ内に設けられる通信制御手段としてのＵＷＢ通信制御機能部３１ｆ等によって構成される。
【０１３２】
さらに、本実施形態のデジタルカメラ１００Ｃにおいては、上述の無線通信手段の構成に加えて、ＵＷＢ測距回路３４と、第１ＣＰＵ３１のシステムコントロール部３１ａ内に設けられるＵＷＢ測距制御機能部３１ｄとによって、ＵＷＢ無線システムによる測距手段が構成される。この測距手段は、主に水中撮影モード以外に設定したときに用いられる。一方、本デジタルカメラ１００Ｃにおいて水中撮影モードが設定されたときの測距方式としては、通常のデジタルカメラと同様の測距方式、例えばコントラスト検出方式の測距動作が行われるようになっている。このことは、測距用の無線信号は、水中環境においては減衰する等の理由があり、ＵＷＢ無線システムによる測距方式は、水中環境において使用するのに適さないという理由による。
【０１３３】
第１無線アンテナ２１ａ及び第２無線アンテナ２１ｂは、デジタルカメラ１００Ｃと外部装置（図示せず）との間で無線によるデータ通信を行うのに際して、外部装置からのデータ通信に係る無線信号を受信したり、本デジタルカメラ１００Ｃからデータ通信用の無線信号を送信する無線信号入出力部である。
【０１３４】
これと同時に、第１無線アンテナ２１ａ及び第２無線アンテナ２１ｂは、測距用の電磁波等の無線信号の発信及び受信を行って三角測量法による測距を行うための測距用無線信号入出力部となっている。
【０１３５】
そして、第１無線アンテナ２１ａ及び第２無線アンテナ２１ｂは、それぞれが外部無線データインターフェース２０及びＵＷＢ測距回路３４へと接続されていて、送受信した無線信号について、外部無線データインターフェース２０又はＵＷＢ測距回路３４を介して第１ＣＰＵ３１との間で入出力するようになっている。
【０１３６】
なお、第１無線アンテナ２１ａ及び第２無線アンテナ２１ｂは、デジタルカメラ１００Ｃの内部において、例えば図９に示すように前面カバー１０２の内側の上面寄りの所定の部位に所定の間隔を置いてそれぞれ配置されている。
【０１３７】
外部無線データインターフェース２０は、第１無線アンテナ２１ａ及び第２無線アンテナ２１ｂと第１ＣＰＵ３１との間に介在し両無線アンテナ２１ａ，２１ｂに入力される無線信号を所定の形態の電気信号に変換して第１ＣＰＵ３１へ出力したり、第１ＣＰＵ３１のＵＷＢ通信制御機能部３１ｆからの信号を無線信号に変換して両無線アンテナ２１ａ，２１ｂへと出力する無線通信手段の一部であって無線通信接続部（インターフェース）として機能している。
【０１３８】
また、ＵＷＢ測距回路３４は、第１無線アンテナ２１ａ及び第２無線アンテナ２１ｂと第１ＣＰＵ３１との間に介在し、測距用の無線信号を第１無線アンテナ２１ａ及び第２無線アンテナ２１ｂの一方へと出力し、対象物に反射して戻る同信号を同じ無線アンテナで受信し、同時にもう一方のアンテナからも別の測距用の無線信号を出力し、同じアンテナで受信することによってそれぞれのアンテナからの測距による三角測距でＵＷＢ無線測距機能を実現する回路である。
【０１３９】
一方、本実施形態のデジタルカメラ１００Ｃにおけるカメラ通信モード切換機能部３１ｅは、本デジタルカメラ１００Ｃと外部装置（図示せず）との間におけるデータ通信を行う際の通信モード、即ち有線通信モードと無線通信モードとの切り換え制御を行う回路である。その他の構成は、上述の各実施形態と略同様である。
【０１４０】
このように構成された本実施形態のデジタルカメラ１００Ｃの作用を以下に説明する。
【０１４１】
本実施形態のデジタルカメラ１００Ｃは、図９に示すように防水ケース１０３Ｃ内に装填した後、後側シェル１０３ａと前側シェル１０３Ｃｂとを互いに対向するように配置させ両者の外周縁部を密着させることにより内部を水密的に密封状態とすることで、水中等の環境下で使用することができるようになる。
【０１４２】
ここで、防水ケース１０３Ｃの前側シェル１０３Ｃｂの内面の所定の部位であって、第１無線アンテナ２１ａ又は第２無線アンテナ２１ｂのうちの一方（図９に示す例では第１無線アンテナ２１ａ）に対向する部位に、対応するアンテナ（第１無線アンテナ２１ａ）から発信される電磁波等を反射する部材であって、例えば金属薄膜等からなる電磁波反射部材１０３ｇが設けられている。
【０１４３】
これにより、本実施形態のデジタルカメラ１００Ｃを防水ケース１０３Ｃ内に装填して密封状態とした場合には、二つあるアンテナのうち一方のアンテナ（第１無線アンテナ２１ａ）の直前に電磁波反射部材１０３ｇが配設されるようになっている。このとき、当該一方のアンテナ（第１無線アンテナ２１ａ）からの無線信号が至近距離で電磁波反射部材１０３ｇにより反射され、その反射波は、非常に短い所定時間後に同じアンテナにて受信されるようになっている。
【０１４４】
この場合において、一方のアンテナ（第１無線アンテナ２１ａ）から送信した測距用無線信号（電磁波）が同じアンテナで受信されるまでの時間と、もう一方のアンテナ（第２無線アンテナ２１ｂ）から送信した測距用無線信号（電磁波）が同じアンテナで受信されるまでの時間とに基づいて測距演算が行われるわけであるが、この時間が片方は非常に短く、もう片方が通常の時間となることによって、無線信号がアンテナから至近距離にある電磁波反射部材１０３ｇによって反射されたものと推定し、これによって、防水ケース１０３Ｃを検出し、デジタルカメラ１００Ｃが防水ケース１０３Ｃに装着されている状態であると判断するようにしている。
【０１４５】
より簡略に言うと、デジタルカメラ１００ＣのＵＷＢ無線測距機能を作用させて測距動作を行って得られた測距結果（測距用電磁波の送受信に係る時間に基づいて演算される）は、第１ＣＰＵ３１を介して防水ケース検出回路３３へも伝送される。これを受けて、防水ケース検出回路３３は、デジタルカメラ１００Ｃが防水ケース１０３Ｃ内に装填されている状態であるか否かの検出を行うようになっている。
【０１４６】
ここで、本実施形態のデジタルカメラ１００Ｃを起動（パワーオン）したときに防水ケース検出処理がなされる際の作用の流れを、図１０のフローチャートによって以下に説明する。
【０１４７】
まず、本実施形態のデジタルカメラ１００Ｃの電源ボタン（図示せず）が使用者により操作される等により、本デジタルカメラ１００Ｃは起動する（パワーオン）。
【０１４８】
すると、図１０のステップＳ１１において、本デジタルカメラ１００Ｃの第１ＣＰＵ３１は、本デジタルカメラ１００Ｃの内部回路の初期化処理を実行する。この初期化処理は、通常のデジタルカメラで行われるのと同様の処理である。その後、ステップＳ１２の処理に進む。
【０１４９】
ステップＳ１２において、第１ＣＰＵ３１は、現在設定されている撮影モードを判別する処理を実行する。この処理は、モード切換ダイヤル（本実施形態では図示せず）等に連結される回路からの指示信号を監視する処理である。その後、ステップＳ１３の処理に進む。
【０１５０】
ステップＳ１３において、上述のステップＳ１２の処理にて判別された撮影モードが水中撮影モードであるか否かの確認を行う。ここで、水中撮影モード以外に設定されていると判定された場合には、ステップＳ２０の処理に進み、このステップＳ２０において、第１ＣＰＵ３１は、システムコントロール部３１ａのカメラ通信モード切換機能部３１ｅを制御して通信モードの設定を有線通信モードに切り換え設定すると共に、ＵＳＢ通信制御機能部３１ｂを制御して有線通信手段による有線通信機能をオン制御する。また、ＵＷＢ通信制御機能部３１ｆを制御して無線通信手段による無線通信機能をオフ制御する。
【０１５１】
その後、本デジタルカメラ１００Ｃは、次の動作指示を待機する待機状態となる。ここで、何らかの動作指示が生じた場合、第１ＣＰＵ３１は、これを受けてその動作指示に応じた処理に移行する（リターン）。
【０１５２】
一方、上述のステップＳ１３の処理において、水中撮影モードに設定されていると判定された場合には、次のステップＳ１４の処理に進む。
【０１５３】
ステップＳ１４において、第１ＣＰＵ３１は、システムコントロール部３１ａのＵＷＢ測距制御機能部３１ｄをＵＷＢ無線機能による測距動作を行う測距モードとなるようにオン制御する。ここで、第１ＣＰＵ３１は、自己の内部に有するカウンタ値をリセットする（ｃｏｕｎｔ＝０）。その後、ステップＳ１５の処理に進む。
【０１５４】
ステップＳ１５において、第１ＣＰＵ３１は、ＵＷＢ測距制御機能部３１ｄを介してＵＷＢ測距回路３４，第１無線アンテナ２１ａ，第２無線アンテナ２１ｂを制御して、ＵＷＢ無線機能による測距動作処理を実行する。その後、ステップＳ１６の処理に進む。
【０１５５】
ステップＳ１６において、第１ＣＰＵ３１は、上述のステップＳ１５の処理にてＵＷＢ無線機能による測距手段で得られた測距結果が、一方だけが所定値よりも至近距離であるか否かの確認を行う。ここで、測距結果が一方だけが所定値より至近距離ではないことが確認された場合には、ステップＳ２０の処理に進み、このステップＳ２０において、有線通信モード設定への切り換え処理がなされた後、本デジタルカメラ１００Ｃは待機状態となる（リターン）。
【０１５６】
一方、上述のステップＳ１６の処理において、測距結果が一方だけが所定値より至近距離であることが確認された場合には、ステップＳ１７の処理に進む。
【０１５７】
ステップＳ１７において、第１ＣＰＵ３１は、自己の内部に有するカウンタ値をインクリメントする（ｃｏｕｎｔ＝ｃｏｕｎｔ＋１）。その後、ステップＳ１８の処理に進む。
【０１５８】
ステップＳ１８において、第１ＣＰＵ３１は、カウンタ値が所定値「４」以上か否かの確認を行う（ｃｏｕｎｔ≧４）。ここで、カウンタ値が所定値「４」に達していない場合（ｃｏｕｎｔ＜４）には、上述のステップＳ１５の処理に戻り、以降の処理を繰り返す。一方、カウンタ値が所定値「４」以上である場合（ｃｏｕｎｔ≧４）には、次のステップＳ１９の処理に進む。
【０１５９】
ステップＳ１９において、第１ＣＰＵ３１は、システムコントロール部３１ａのカメラ通信モード切換機能部３１ｅを制御して通信モードの設定をＵＷＢ無線通信モードに切り換え設定すると共に、ＵＷＢ通信制御機能部３１ｆを制御してＵＷＢ無線通信機能をオン制御する。また、ＵＳＢ通信制御機能部３１ｂを制御して有線通信手段による有線通信機能をオフ制御する。
【０１６０】
その後、本デジタルカメラ１００は、次の動作指示を待機する待機状態となる。ここで、何らかの動作指示が生じた場合、第１ＣＰＵ３１は、これを受けてその動作指示に応じた処理に移行する（リターン）。
【０１６１】
つまり、ステップＳ１６の処理による確認ステップにて、ステップＳ１５の測距動作処理による測距結果が一方だけが至近距離であった場合には、当該測距動作処理を最大４回繰り返し、４回とも至近距離であった場合には、第１無線アンテナ２１ａの直前に電磁波反射部材１０３ｇが存在している、即ちデジタルカメラ１００Ｃは防水ケース１０３Ｃ内に装填されている状態にあるものと推定して、通信モードを自動的に無線通信モードに切り換える制御が行われる。
【０１６２】
以上説明したように上記第４の実施形態によれば、ＵＷＢ無線システムによる無線通信手段及び測距手段を備えたデジタルカメラ１００Ｃにおいて、測距動作を行って、その測距結果に基づいて、防水ケース１０３Ｃの装着状態を検出するようにしている。この場合において、防水ケース１０３Ｃの検出手段は、機械的かつ電気的な接触若しくは機械的な嵌合等の機構によらず非接触状態で防水ケース１０３Ｃの装着状態を自動的に検出することができるので、工作加工精度等によって生じ得る接触不良や嵌合不良等に起因する誤検出の心配がなく、常に確実な検出結果を得ることができるという利点があると同時に、設計の自由度や加工精度などの点において有利な構成である。
【０１６３】
上述の各実施形態においては、無線データ通信機能を実現する手段として、ＷＵＳＢ規格による無線通信システムやＵＷＢ無線通信システムを適用した場合を例に挙げて説明したが、これらに限ることはなく、例えば無線ＬＡＮ（Ｌoacal Ａrea Ｎetwork）システムや赤外線通信（ＩｒＤＡ）システム等の無線通信システムを適用してもよく、その場合の構成は、上述の各実施形態と略同様な構成で容易に実現し得る。
【０１６４】
また、上記各実施形態においては、撮影装置であるデジタルカメラを装着するためのケースとして、当該撮影装置を水中で使用するための防水ケースを例に挙げて説明しているが、このケースについては、この例に限ることはない。撮影装置の全体を覆うように装着するケースの他の例としては、例えば防塵や防滴を主な目的とするケースや、撮影装置の発する音等を外部に漏らさないようにするために用いる防音ケース等、各種の例がある。本発明はこの種のケースにおいても全く同様に適用可能である。
【０１６５】
なお、本発明は上述した実施形態に限定されるものではなく、発明の主旨を逸脱しない範囲内において種々の変形や応用を実施し得ることが可能であることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【０１６６】
【図１】本発明の第１の実施形態の撮影装置（デジタルカメラ）の内部構成の概略を示すブロック構成図。
【図２】図１のデジタルカメラを防水ケース内の所定の位置に配設した状態を示す外観図。
【図３】図１の本実施形態のデジタルカメラを起動（パワーオン）したときに防水ケース検出処理がなされる際の作用の流れを示すフローチャート。
【図４】本発明の第２の実施形態の撮影装置（デジタルカメラ）を防水ケース内の所定の位置に配設した状態を示す外観図。
【図５】本発明の第３の実施形態の撮影装置（デジタルカメラ）を防水ケース内の所定の位置に配設した状態を示す外観図。
【図６】図５のデジタルカメラにおけるモード切換ダイヤルを取り出して示す要部拡大図であって、モード切換ダイヤルを水中撮影モードに設定した状態を示す図。
【図７】図５のデジタルカメラにおけるモード切換ダイヤルを取り出して示す要部拡大図であって、モード切換ダイヤルを通常撮影モードに設定した状態を示す図。
【図８】本発明の第４の実施形態の撮影装置（デジタルカメラ）の内部構成の概略を示すブロック構成図。
【図９】図８のデジタルカメラを防水ケース内の所定の位置に配設した状態を示す外観図。
【図１０】図８のデジタルカメラを起動（パワーオン）したときに、防水ケース検出処理がなされる際の作用の流れを示すフローチャート。
【符号の説明】
【０１６７】
２……撮像素子
３……撮像回路
１６……記録媒体
２０……外部無線データインターフェース
２１……無線アンテナ
２１ａ……第１無線アンテナ
２１ｂ……第２無線アンテナ
２２……外部有線データインターフェース
２３……キーマトリクス
２３ｄ，２３Ｂｄ……モード切換ダイヤル
３１……第１ＣＰＵ
３１ａ……システムコントロール部
３１ｂ……ＵＳＢ通信制御機能部
３１ｃ……ＷＵＳＢ通信制御機能部
３１ｄ……ＵＷＢ測距制御機能部
３１ｅ……カメラ通信モード切換機能部
３１ｆ……ＵＷＢ通信制御機能部
３２……第２ＣＰＵ
３３……防水ケース検出回路
３３ａ，３３ｂ，３３ｃ，３３ｄ……被検出凹部
３４……ＵＷＢ測距回路
１００，１００Ａ，１００Ｂ，１００Ｃ……デジタルカメラ
１０１……背面カバー
１０１Ａ……背面カバー
１０１ａ……指標凸部
１０２……前面カバー
１０３，１０３Ａ，１０３Ｂ，１０３Ｃ……防水ケース
１０３ａ，１０３Ａａ……後側シェル
１０３ｂ，１０３Ｃｂ……前側シェル
１０３ｃ……蝶番部
１０３ｄ……接触片
１０３ｅ，１０３ｆ……検出凸部
１０３ｇ……電磁波反射部材
【図１】
2008258991.tif 000003
【図２】
2008258991.tif 000004
【図３】
2008258991.tif 000005
【図４】
2008258991.tif 000006
【図５】
2008258991.tif 000007
【図６】
2008258991.tif 000008
【図７】
2008258991.tif 000009
【図８】
2008258991.tif 000010
【図９】
2008258991.tif 000011
【図１０】
2008258991.tif 000012